(57)【要約】      （修正有）【課題】部品点数が少なくて組み付けが容易であってコスト低減が図りやすい上、ピンの先端が外部に露出しないので美観を何ら損なうことがなく、また止め具の径を小さくして小型化することが可能であり、しかも使用中に外れやすいという欠点を解消した装身具の止め具を提供する。【解決手段】装飾体に取り付けたピンの先端を係合保持する装身具の止め具であって、ピン２１の先端を挿入する開口部２０を備えた止め具のハウジング１１内に、Ｕ字形に一体形成し、かつ端部にピン２１を挟着する首部１３を形成した板状のバネ本体１２を取り付けるとともに、開口部２０にバネ本体１２の先端を外側に広げて臨ませ、バネ本体１２の首部１３がピン２１を挟着する方向に付勢するようにしたことを特徴とする。【選択図】図４
0003146754.tif 000002
【実用新案登録請求の範囲】
【請求項１】
装飾体に取り付けたピンの先端を係合保持する装身具の止め具であって、
ピンの先端を挿入する開口部を備えた止め具のハウジング内に、Ｕ字形に一体形成し、かつ端部にピンを挟着する首部を形成した板状のバネ本体を取り付けるとともに、前記開口部にバネ本体の先端を外側に広げて臨ませ、該バネ本体の首部がピンを挟着する方向に付勢するようにしたことを特徴とする装身具の止め具。
【請求項２】
前記Ｕ字形に一体形成したバネ本体を、その横断面を内向きの円弧状となるように加工して、前記首部がピンを挟着する方向に付勢するようにしたことを特徴とする請求項１に記載の装身具の止め具。
【請求項３】
前記Ｕ字形に一体形成したバネ本体を、ハウジングの開口部と係合した状態において、前記バネ本体の首部がピンを挟着できる間隔に保持するようにしたことを特徴とする請求項１または２に記載の装身具の止め具。
【請求項４】
前記装飾体に取り付けたピンが、
その先端部分に周溝を形成して、前記バネ本体の首部が係合するようにしたことを特徴とする請求項１ないし３のいずれかの請求項に記載の装身具の止め具。
【請求項５】
前記装飾体に取り付けたピンが、
その先端部分の表面を粗面加工して、前記バネ本体の首部が係合しやすくなるようにしたことを特徴とする請求項１ないし３のいずれかの請求項に記載の装身具の止め具。
【考案の詳細な説明】
【技術分野】
【０００１】
この考案は、ピアスイヤリング等のピンを有する装身具に使用される装身具の止め具に関するものである。
【背景技術】
【０００２】
従来、ピアスイヤリングの止め具としては、実開昭５６−１２０８１１号公報（特許文献１参照）に記載され、図５に示すような板バネ製のキャッチ１０１を用いたものが周知である。
すなわち図５には、基板１０２の中央部に貫通孔１０３を穿孔した扁平部１０４を設け、その対向した両端部１０５に、貫通孔１０３の中心線上で互いに弾発状態で接触するよう屈曲した屈曲片１０６を設けるとともに、少なくとも扁平部１０４と屈曲片１０６にかかる陥状変形部１０７を設け、貫通孔１０３に挿入したピン１１１を屈曲片１０６により保持するようにしたピアスイヤリングの止め具が示されている。
【０００３】
また前記ピアスイヤリングの止め具では、ピンの先端が外部に露出しており、美観を損ねることはもちろん、その操作もしずらいという欠点があり、実用新案登録第３１２８０１９号公報（特許文献２参照）の考案が提案されている。
すなわち図６には、円形断面、角形断面等の輪郭に形成された筒状本体１１１とその内部に取り付けた筒状本体１１１とほぼ同様の形状の抜け止め具１１２とを備え、該抜け止め具１１２は漏斗状のガイド部１１４と、このガイド部１１４から延長された複数の、例えば一対のバネ性抜け止め片１１５を有している。また、一対のバネ性抜け止め片１１５間には、同様に自由端を有する複数のガイド片１１６が配置されている。そして一対のバネ性抜け止め片１１５は、抜け止め具１１２の内壁側に向けて傾斜し、さらに先端を外向きに折り返されて、内向きの突部１１７を形成した構造となっていて、この一対のバネ性抜け止め片１１５がピアスイヤリングのピン１２１を挟着するのである。
【特許文献１】実開昭５６−１２０８１１号公報
【特許文献２】実用新案登録第３１２８０１９号公報
【考案の開示】
【考案が解決しようとする課題】
【０００４】
しかしながら後者の先行技術においても、漏斗状のガイド部１１４と、このガイド部１１４から延長された複数の、例えば一対のバネ性抜け止め片１１５が必要であって部品点数が多く、またその組付けに手間がかかるという問題があり、種々の改善がなされてきているが、上記旧来の板バネからなるキャッチをしのぐものはいまだ開発されていないのが実情である。
【０００５】
この考案の装身具の止め具は従来例の上記欠点を解消しようとするものであり、部品点数が少なくて組み付けが容易であってコスト低減が図りやすい上、ピンの先端が外部に露出しないので美観を何ら損なうことがなく、また止め具の径を小さくして小型化することが可能であり、しかも使用中に外れやすいという欠点を解消した装身具の止め具を提供しようとするものである。
【課題を解決するための手段】
【０００６】
すなわちこの考案の装身具の止め具は、装飾体に取り付けたピンの先端を係合保持する装身具の止め具であって、
ピンの先端を挿入する開口部を備えた止め具のハウジング内に、Ｕ字形に一体形成し、かつ端部にピンを挟着する首部を形成した板状のバネ本体を取り付けるとともに、前記開口部にバネ本体の先端を外側に広げて臨ませ、該バネ本体の首部がピンを挟着する方向に付勢するようにしたことを特徴とするものである。
【０００７】
この考案の装身具の止め具は、前記Ｕ字形に一体形成したバネ本体を、その横断面を内向きの円弧状となるように加工して、前記首部がピンを挟着する方向に付勢するようにしたことをも特徴とするものである。
【０００８】
この考案の装身具の止め具は、前記Ｕ字形に一体形成したバネ本体を、ハウジングの開口部と係合した状態において、前記バネ本体の首部がピンを挟着できる間隔に保持するようにしたことをも特徴とするものである。
【０００９】
この考案の装身具の止め具は、前記装飾体に取り付けたピンが、その先端部分に周溝を形成して、前記バネ本体の首部が係合するようにしたことをも特徴とするものである。
【００１０】
この考案の装身具の止め具は、前記装飾体に取り付けたピンが、その先端部分の表面を粗面加工して、前記バネ本体の首部が係合しやすくなるようにしたことをも特徴とするものである。
【考案の効果】
【００１１】
この考案の装身具の止め具は以上のように、ピンの先端を挿入する開口部を備えた止め具のハウジング内に、ピンを挟着する方向に付勢された首部を形成したU字状のバネ本体を取り付けるとともに、前記開口部にバネ本体の先端を外側に広げて臨ませたので、ピンを装着しやすく、また常態ではピンが簡単に外れることがない。
しかもハウジングを指で挟んでピアス用ピンを引き抜く方向に力を掛けることにより、バネ本体の首部の係合部分が開いて簡単に外れるようになり、非常に操作しやすいものとなった。
【００１２】
またこの考案の装身具の止め具は、部品点数が少なく、プレス加工等によって簡単に量産することができるので、大幅なコスト低減を図ることができるようになった。しかもハウジングの表面には付属品がほとんど現れないので、美観に優れた装身具の止め具を提供することができるようになった。
【考案を実施するための最良の形態】
【００１３】
以下、図面に基づき、この考案の装身具の止め具の実施の形態について説明する。
図１はこの考案の装身具の止め具をピアスイヤリングに適用した１実施例を示し、ピアス用のピンを装着した状態の概略全体図、図２はピアスイヤリングの止め具の拡大斜視図、図３はその正面図、図４はピアス用のピンを装着した状態の拡大断面図である。
【００１４】
図１ないし図４において１１は装飾性を備えたハウジングで、球状その他の立体的な輪郭をなし、適所にピアス用のピン２１の先端を挿入する開口部２０が形成されている。このようなハウジング１１は、プレス等による種々の機械的な加工によって、またキャスト等による鋳造等によって作成することができる。
次に、１２は板状のバネ本体であって、このバネ本体１２は板状素材をＵ字形に一体形成し、かつ先端部に前記ピン２１を挟着する首部１３を形成し、Ｕ字状の底部を前記ハウジング１１の内奥にロー付けしてある。もちろん、前記ハウジング１１の内奥にネジ類や爪を立設してＵ字状の底部を係止し、バネ本体１２をハウジング１１から抜け止めするようにしてもよい。
前記板状のバネ本体１２は、ハウジング１１の前記開口部２０の外面側にその先端を外側に広げるように形成したガイド部１４を臨ませてあり、前記開口部２０に係合して、該バネ本体１２の首部１３がピン２１を挟着する方向に付勢するようになっている。
【００１５】
もちろん、前記バネ本体１２自体の弾性で前記首部１３をピン２１を挟着する方向に付勢してあってもよい。
前記Ｕ字形に一体形成したバネ本体１２をそのように付勢する手段としては、バネ本体１２の横断面を内向きの円弧状となるように加工することが挙げられる。このようにすると、前記首部１３がピン２１を確実に挟着する方向に付勢される。
【００１６】
図２ないし図４に示すように、前記Ｕ字形に一体形成したバネ本体１２を、ハウジング１１の開口部２０の内周面と係合した状態において、前記バネ本体１２の首部１３がピン２１を挟着できる間隔に保持するようにしてある。
このようにすると、前記バネ本体１２の長さ方向に付勢力を与えるのではなく、前記バネ本体１２の幅方向の弾性を利用するようになり、前期ピン２１に対するより強い付勢力を得ることができる。
【００１７】
前記バネ本体１２は、常態ではピアスイヤリングの装飾体３１の端部に取り付けたピアス用ピン２１の先端に形成した周溝２２に首部１３を係合して抜け止めする。その際、ピアス用ピン２１を引き抜く方向に多少の負荷がかかっても、バネ本体１２の挟着力を備えた首部１３において確実に抜け止めされ、ピアス用ピン２１はハウジング１１から外れることがない。
【００１８】
次に、ハウジング１１を手で持ってピアス用ピン２１を引き抜く方向に力を掛けると、バネ本体１２の挟着力を備えた首部１３がピアス用ピン２１から外向きの力を受けて広がり、ピアス用ピン２１の周溝２２との係合を解いて外れるようになる。
【００１９】
前記実施例におけるピアスイヤリングの止め具は次のようにして使用される。
すなわち使用に際して、上記ハウジング１１のバネ本体１２のガイド部１４を経由して、ピアス用ピン２１の頭部を押し込む。すると、ハウジング１１内に装着したバネ本体１２は、首部１３が広がってピアス用ピン２１の頭部を受け入れ、首部１３がピアス用ピン２１の周溝２２に係合して確実に抜け止めする。
【００２０】
ピアス用ピン２１の装着が完了すると、ピアス用ピン２１を引き抜く方向に負荷がかかっても、バネ本体１２の首部１３によって確実に抜け止めされ、ピアス用ピン２１はハウジング１１から外れることがない。
【００２１】
次に、ハウジング１１を手で持ってピアス用ピン２１を引き抜く方向に力を掛けると、バネ本体１２の首部１３がピアス用ピン２１から外向きの力を受けて広がり、ピアス用ピン２１の周溝２２との係合を解いて外れるようになる。
その際、バネ本体１２の首部１３からピアス用ピン２１を引き抜くと、バネ本体１２の首部１３は弾性によって元の位置に復帰する。
【００２２】
この実施例の装身具の止め具は、前記装飾体３１に取り付けたピン２１として前記周溝２２を設けないものであってもよく、その場合にはピン２１の先端部分の表面を粗面加工して、前記バネ本体１２の首部１３が係合しやすくなるようにしておくことが望ましい。
【産業上の利用可能性】
【００２３】
この考案の装身具の止め具によれば、ピアスイヤリング以外にも、ネックレスやペンダント、ブレスレット等の装身具の連結部分に好適に使用することができ、コンパクトで取扱いやすい止め具を提供することができるようになった。
なお、バネ本体をイヤリング本体等の両端に取り付けることにより、装飾性を備えたリバーシブル構造のピアスイヤリング、その他の装身具としても利用することができる。
【図面の簡単な説明】
【００２４】
【図１】この考案の装身具の止め具をピアスイヤリングに適用した１実施例を示し、ピアス用のピンを装着した状態の概略全体図である。
【図２】ピアスイヤリングの止め具の拡大斜視図である。
【図３】その正面図である。
【図４】ピアス用のピンを装着した状態の拡大断面図である。
【図５】第１の従来例を示す側面図である。
【図６】第２の従来例を示す断面図である。
【符号の説明】
【００２５】
１１  ハウジング
１２  バネ本体
１３  首部
１４  ガイド部
２０  開口部
２１  ピアス用のピン
２２  周溝
３１  装飾体
【図１】
0003146754.tif 000003
【図２】
0003146754.tif 000004
【図３】
0003146754.tif 000005
【図４】
0003146754.tif 000006
【図５】
0003146754.tif 000007
【図６】
0003146754.tif 000008